(57)【要約】【課題】  ＲＡＩＤコントローラに接続される蓄積装置の数の増減を可能にするとともに、チャンネル数を増加させることができる映像蓄積再生装置を提供することを目的とする。【解決手段】  映像データを圧縮する少なくとも１つのエンコーダ１１と、エンコーダ１１により圧縮された映像データを蓄積する複数の蓄積装置１５と、複数の蓄積装置１５の台数を含む、蓄積装置構成に係る情報を制御する蓄積装置構成制御部１２と、蓄積装置構成制御部１２により制御される蓄積装置構成に係る情報に基づいて、複数の蓄積装置１５に対する映像データの分散蓄積および複数の蓄積装置１５からの映像データの読み出しを行う分散蓄積制御部１４と、分散蓄積制御部１４により複数の蓄積装置１５から読み出された圧縮された映像データを伸長する少なくとも１つのデコーダ１３とを備える。【選択図】  図１
2011003032.tif 000002
【特許請求の範囲】
【請求項１】
映像データを圧縮する少なくとも１つのエンコーダと、
前記エンコーダにより圧縮された映像データを蓄積する複数の蓄積装置と、
前記複数の蓄積装置の台数を含む、蓄積装置構成に係る情報を制御する蓄積装置構成制御部と、
前記蓄積装置構成制御部により制御される前記蓄積装置構成に係る情報に基づいて、前記複数の蓄積装置に対する前記映像データの分散蓄積および前記複数の蓄積装置からの前記映像データの読み出しを行う分散蓄積制御部と、
前記分散蓄積制御部により前記複数の蓄積装置から読み出された圧縮された映像データを伸長する少なくとも１つのデコーダと
を備える映像蓄積再生装置。
【請求項２】
前記複数の蓄積装置の台数は、１台単位で増減されることを特徴とする請求項１に記載の映像蓄積再生装置。
【請求項３】
前記蓄積装置構成制御部には、
前記複数の蓄積装置の台数を検出する台数検出部と、
前記台数検出部により検出された前記複数の蓄積装置の台数に応じて、分散蓄積構成を構築する構築部と、
前記構築部により構築された分散蓄積構成に係る情報を記憶する分散蓄積構成記憶部と
を備えることを特徴とする請求項１または請求項２に記載の映像蓄積再生装置。
【請求項４】
前記蓄積装置構成制御部には、
前記複数の蓄積装置の台数を検出する台数検出部と、
前記台数検出部により検出された前記複数の蓄積装置の台数に応じて、分散蓄積構成を構築する構築部と、を備え、
前記複数の蓄積装置のそれぞれには、
前記構築部により構築された分散蓄積構成に係る情報を記憶する分散蓄積構成記憶部と
を備えることを特徴とする請求項１または請求項２に記載の映像蓄積再生装置。
【請求項５】
前記構築部は、前記蓄積装置の台数が３台以上である場合にＲＡＩＤ（Redundant Arrays of Inexpensive （Independent） Disks）レベルを５として分散蓄積構成を構築し、前記蓄積装置の台数が２台である場合にＲＡＩDレベルを０として分散蓄積構成を構築することを特徴とする請求項１乃至請求項４の何れか１項に記載の映像蓄積再生装置。
【請求項６】
前記台数検出部は、電源が投入されるに伴い前記蓄積装置の台数を検出することを特徴とする請求項１乃至請求項５の何れか１項に記載の映像蓄積再生装置。
【請求項７】
前記構築部は、前記複数の蓄積装置に記憶されている分散蓄積構成に係る情報が、全て一致しているかを判断し、一致していないと判断した場合に、分散蓄積構成に係る情報を再度構築することを特徴とする請求項４に記載の映像蓄積再生装置。
【発明の詳細な説明】
【技術分野】
【０００１】
本発明は、映像蓄積再生装置における映像の分散蓄積に関する。
【背景技術】
【０００２】
放送局から各家庭へ放送する映像は、映像蓄積再生装置に蓄積され、この蓄積された映像は放送時刻に合わせて再生される。この映像蓄積再生装置は、複数のチャンネル分の映像を蓄積しておくようにしているため、大容量の記録媒体が必要である。この大容量の記録媒体は、記録速度を高速化したり信頼性を高めたりする目的で、ＳＳＤ（Solid State Drive）やＨＤＤ（Hard Disk Drive）等の蓄積装置を複数台用いて仮想的な１つの蓄積装置として用いるＲＡＩＤ（Redundant Arrays of Inexpensive （もしくはIndependent）Disks）と呼ばれる技術が用いられている。ＲＡＩＤの技術には、信頼性や書き込み速度に応じたＲＡＩＤ０からＲＡＩＤ６までの７段階のＲＡＩＤレベルがあり、映像蓄積再生装置では、信頼性の高さや書き込み速度の速さから、ＲＡＩＤ５が使用されることが多い。
【０００３】
このＲＡＩＤ技術は、大別してソフトウェア方式とハードウェア方式に分けられ、ハードウェア方式のうちの１手法として、複数の蓄積装置への分散蓄積を制御するＲＡＩＤコントローラを用いるものがある。このＲＡＩＤコントローラは、制御する蓄積装置の数とＲＡＩＤレベルが予め設定されており、ＲＡＩＤコントローラに接続される蓄積装置を１つまたは複数増設したり、或いは蓄積装置を１つ取り外した状態などの、予め設定された形態以外で使用したりすることができない。
【０００４】
例えば、図７に示すようなＲＡＩＤコントローラが４つの蓄積装置を制御する場合に、蓄積容量が不足するため蓄積装置を２つ増設する必要があるとする。この場合、ＲＡＩDコントローラには２つの蓄積装置を増設することができず、ＲＡＩＤコントローラと複数の蓄積装置とを１セットとした単位で増設することになる。このようなＲＡＩＤコントローラと複数の蓄積装置のセットを複数備える装置は、例えば、特許文献１に記載されている。
【０００５】
この増設単位は、ＲＡＩＤレベルによって蓄積装置の数が異なり、ＲＡＩＤ５では、３つ以上の蓄積装置が必要となる。このようなＲＡＩＤコントローラと複数の蓄積装置とを１セットとした単位で増設した映像蓄積再生装置を図８に示す。図８の例では、ＲＡＩＤコントローラ２３と４つの蓄積装置２４という単位で増設され、２つだけ蓄積装置２４を増設したいという要求に対し、蓄積装置２４の数が過多であり、映像蓄積再生装置の価格が高くなってしまうという問題がある。ＲＡＩＤ５の最小蓄積装置の数である３つの蓄積装置とＲＡＩＤコントローラの単位で増設した場合にも、蓄積装置２４の数は過多である。
【先行技術文献】
【特許文献】
【０００６】
【特許文献１】特開平９−１３８７３５号公報
【発明の概要】
【発明が解決しようとする課題】
【０００７】
ところで、映像蓄積再生装置は、複数のチャンネル分の映像を蓄積するものであるため、チャンネル数分のエンコーダおよびデコーダが必要になる。１つのチャンネルの映像を蓄積するための書き込み速度はある一定以上の速度が必要であり、複数のチャンネルの映像を並列に蓄積するには、チャンネル数に応じた書き込み速度が求められる。書き込み速度を向上させる手法として、複数の蓄積装置に分割して書き込むストライピングという技術が知られている。このストライピングは、ＲＡＩＤ０とも呼ばれ、蓄積装置の数が増加すればすれるほど書き込み速度が向上可能であるが、上記の増設単位の制約から、映像蓄積再生装置に使用されるＲＡＩＤ５のＲＡＩＤコントローラに接続される蓄積装置を増設することができない。これは、ＲＡＩＤコントローラに接続する蓄積装置の数が固定されるため、蓄積装置への書き込み速度が固定されることを意味し、それ故に映像蓄積再生装置が備えることが可能なエンコーダおよびデコーダの数が固定されてしまう。つまり、一度映像蓄積再生装置のＲＡＩＤの構成が決定された後は、映像蓄積再生装置で使用可能なチャンネル数を増加させることができないという問題がある。
【０００８】
本発明は、ＲＡＩＤコントローラに接続される蓄積装置の数の増減を可能にするとともに、チャンネル数を増加させることができる映像蓄積再生装置を提供することを目的とする。
【課題を解決するための手段】
【０００９】
上記目的を達成するために、本発明による映像蓄積再生装置は、映像データを圧縮する少なくとも１つのエンコーダと、前記エンコーダにより圧縮された映像データを蓄積する複数の蓄積装置と、前記複数の蓄積装置の台数を含む、蓄積装置構成に係る情報を制御する蓄積装置構成制御部と、前記蓄積装置構成制御部により制御される前記蓄積装置構成に係る情報に基づいて、前記複数の蓄積装置に対する前記映像データの分散蓄積および前記複数の蓄積装置からの前記映像データの読み出しを行う分散蓄積制御部と、前記分散蓄積制御部により前記複数の蓄積装置から読み出された圧縮された映像データを伸長する少なくとも１つのデコーダとを備えることを特徴とする。
【発明の効果】
【００１０】
本発明による映像蓄積再生装置によれば、ＲＡＩＤコントローラに接続される蓄積装置の数の増減を可能にするとともに、チャンネル数を増加させることができる。
【図面の簡単な説明】
【００１１】
【図１】本発明の一実施の形態に係る映像蓄積再生装置の構成を示したブロック図。
【図２】本発明の実施例１に係るＲＡＩＤ構成制御部の構成を示した機能ブロック図。
【図３】本発明の実施例１に係るＲＡＩＤ構成制御部が行う処理を示したフローチャート。
【図４】本発明の実施例２に係るＲＡＩＤ構成制御部の構成を示した機能ブロック図。
【図５】本発明の実施例２に係る蓄積装置の構成を示した機能ブロック図。
【図６】本発明の実施例２に係るＲＡＩＤ構成制御部が行う処理を示したフローチャート。
【図７】従来の映像蓄積再生装置の構成を示したブロック図。
【図８】従来の映像蓄積再生装置に映像蓄積装置を増設した場合の構成を示したブロック図。
【発明を実施するための形態】
【００１２】
以下、本発明の実施例を、図面を参照して説明する。
【００１３】
図１は、本発明の一実施の形態を示す映像蓄積再生装置の構成を示したブロック図である。  
映像蓄積再生装置は、外部から入力された映像信号を圧縮する複数のエンコーダ１１、エンコーダ１１により圧縮された映像信号を蓄積する蓄積装置１５ａ、１５ｂ、１５ｃ、１５ｄ、蓄積装置１５（１５ａ乃至１５ｄ共通）への分散蓄積を制御するＲＡＩDコントローラ（分散蓄積制御部）１４、蓄積装置１５のＲＡＩＤ構成を制御するＲＡＩD構成制御部（蓄積装置構成制御部）１２、および、蓄積装置１５から映像信号を伸長する複数のデコーダ１３を有する。ＲＡＩＤコントローラ１４には、複数のエンコーダ１１、ＲＡＩＤ構成制御部１２、複数のデコーダ１３、および複数の蓄積装置１５が接続され、蓄積装置１５に対して行う書き込みおよび読み出しの指示をＲＡＩＤコントローラ１４が受信して、蓄積装置１５に対する書き込みおよび読み出しを行うようになっている。
【００１４】
また、映像蓄積再生装置には、ＲＡＩＤの設定を行う設定用端末装置を脱着可能に接続することが可能である。ＲＡＩＤ構成制御部１２は、複数の映像蓄積装置をＲＡＩＤ構成にする場合に必要なＲＡＩＤレベルを記憶しておくようになっている。このＲＡＩＤレベルを初期設定する場合や変更する場合等は、映像蓄積再生装置に設定用端末装置を接続して、ＲＡＩＤ構成制御部１２にＲＡＩＤレベルを設定する。本実施例では、ＲＡＩＤ０またはＲＡＩＤ５を選択することができる例を示している。
【００１５】
そして、ＲＡＩＤ構成制御部１２は、映像蓄積再生装置の電源が投入された場合等に、ＲＡＩＤコントローラ１４に接続されている蓄積装置１５の台数を検出（いわゆる自動認識）し、検出された蓄積装置１５の台数に応じてＲＡＩＤの構成を構築するようになっている。ＲＡＩＤの構成を構築した後に、そのＲＡＩＤ構成の情報を記憶しておく必要があるが、そのＲＡＩＤ構成の情報を記憶しておく場所として、ＲＡＩＤ構成制御部１２の内部に記憶しておく構成と、ＲＡＩＤコントローラ１４に接続されている全ての蓄積装置１５に同一のＲＡＩＤ構成の情報を記憶しておく構成と、が挙げられる。以降、これらの構成毎に説明する。
【実施例１】
【００１６】
実施例１では、構築されたＲＡＩＤ構成の情報をＲＡＩＤ構成制御部１２の内部に記憶しておく構成およびその構成におけるＲＡＩＤ構成制御部１２が行う処理について説明する。
【００１７】
図２は、映像蓄積再生装置が有するＲＡＩＤ構成制御部１２の機能ブロックを示した図である。ＲＡＩＤ構成制御部１２には、ＲＡＩＤコントローラ１４に接続されている蓄積装置１５の台数を検出するＲＡＩＤ台数検出部（台数検出部）１２ａ、ＲＡＩＤ台数検出部１２ａにより検出されたＲＡＩＤ台数に基づきＲＡＩＤの構成を構築するＲＡＩＤ構築部（構築部）１２ｂ、映像蓄積再生装置に脱着可能に接続される設定用端末装置により設定されるＲＡＩＤレベルを記憶するＲＡＩD設定情報記憶部１２ｃ、および、ＲＡＩＤ構築部１２ｂにより構築されたＲＡＩＤ構成の情報を記憶しておくＲＡＩD構成情報記憶部（分散蓄積構成記憶部）１２ｄを備える。なお、このＲＡＩＤ構成情報は、ＲＡＩＤコントローラ１４に接続されている蓄積装置１５の台数およびＲＡＩＤレベルを含むものである。
【００１８】
次に、ＲＡＩＤ構成制御部１２が備えるＲＡＩＤ構築部１２ｂが行う、ＲＡＩＤ構成を構築する処理について説明する。
【００１９】
図３は、ＲＡＩＤ構成を構築する処理を示したフローチャートである。  
映像蓄積再生装置の電源が投入されると、ＲＡＩＤコントローラ１４に接続されている蓄積装置１５の台数を検出する（Ｓ１１）。その後、ＲＡＩD構成情報記憶部１２ｄにＲＡＩD構成情報が記憶されているか否かを判断する（Ｓ１２）。ＲＡＩＤ構成情報記憶部１２ｄにＲＡＩD構成情報が記憶されていると判断した場合は、ＲＡＩＤコントローラ１４はＲＡＩD構成情報記憶部１２ｄに記憶されているＲＡＩＤ構成情報に応じた制御を行えばよいため、ＲＡＩＤ構成を構築する処理を終了する。
【００２０】
処理Ｓ１２において、ＲＡＩＤ構成情報記憶部１２ｄにＲＡＩD構成情報が記憶されていないと判断した場合は、ＲＡＩＤ構成を構築する必要があるため、ＲＡＩＤコントローラ１４に接続されている蓄積装置１５の台数が２台より多いか否かを判断する（Ｓ１３）。本実施例では、ＲＡＩＤ５またはＲＡＩＤ０を構築する場合を示しているが、ＲＡＩＤ５を構築するには少なくとも３台の蓄積装置１５がＲＡＩDコントローラ１４に接続されている必要があるため、この処理では蓄積装置１５の台数が２台より多いか否かを判断するようになっている。
【００２１】
処理Ｓ１３において、ＲＡＩＤコントローラ１４に接続されている蓄積装置１５が１台または２台である場合は、ＲＡＩＤ０を構築する（Ｓ１４）。処理Ｓ１３において、ＲＡＩＤコントローラ１４に接続されている蓄積装置１５が３台以上である場合は、ＲＡＩＤ設定情報記憶部１２ｃを参照して、ＲＡＩＤ５を構築するように設定されているか否かを判断する（Ｓ１５）。設定されたＲＡＩＤレベルがＲＡＩＤ０の場合は、ＲＡＩＤ０を構築する（Ｓ１４）。また、設定されたＲＡＩＤレベルがＲＡＩＤ５の場合は、ＲＡＩＤ５を構築する（Ｓ１６）。処理Ｓ１４にてＲＡＩＤ０を構築した後、または処理Ｓ１６にてＲＡＩＤ５を構築した後は、構築したＲＡＩＤ構成情報をＲＡＩＤ構成情報記憶部１２ｄに記憶して（Ｓ１７）、ＲＡＩＤ構成を構築する処理を終了する。
【００２２】
また、蓄積装置１５の増設または取り外しを行った場合は、ＲＡＩＤ構成情報記憶部１２ｄに記憶されているＲＡＩＤ構成情報を削除し、映像蓄積再生装置を再起動することで、蓄積装置を増設または取り外しした後の蓄積装置に応じてＲＡＩＤを再度構築することができる。なお、ＲＡＩＤ構成情報の削除は、ＲＡＩＤ設定情報記憶部１２ｃへＲＡＩD設定情報を設定する設定用端末装置から行うようにしたり、映像蓄積再生装置が有する図示しないマンマシンインタフェースから行うようにしたりしてもよい。
【００２３】
そして、映像蓄積再生装置で使用するチャンネル数を増加させたい場合に、増加させたいチャンネル数に見合った書き込み速度となるように、上記のようなＲＡＩDコントローラ１４に蓄積装置１５を任意の数ずつ増設することができるため、使用するチャンネル数に対して柔軟に蓄積装置１５の数を変更することができる。
【００２４】
さらに、蓄積装置１５の数を変更する場合に、ＲＡＩＤ構成情報記憶部１２ｄに記憶されているＲＡＩＤ構成情報を削除した後に映像蓄積再生装置を再起動するだけで、蓄積装置１５の数を変更した構成でのＲＡＩＤ構成が構築され、ＲＡＩＤ構成構築を容易に行うことができる。これに加えて、蓄積装置１５の数を変更する場合に、ＲＡＩＤコントローラ１４と複数の蓄積装置１５という単位で行う必要がないため、例えば蓄積装置１５を増設する場合には、ＲＡＩＤコントローラ１４の増設が不要であるとともに、１台単位で蓄積装置１５を増設することが可能であるため、無駄なコストの発生を抑えることができる。
【実施例２】
【００２５】
実施例２では、構築されたＲＡＩＤ構成の情報をＲＡＩＤコントローラ１４に接続されている全ての蓄積装置１５に同一のＲＡＩＤ構成の情報を記憶しておく構成およびその構成におけるＲＡＩＤ構成制御部１２が行う処理について説明する。
【００２６】
図４は、映像蓄積再生装置が有するＲＡＩＤ構成制御部１２の機能ブロックを示した図である。ＲＡＩＤ構成制御部１２には、ＲＡＩＤコントローラ１４に接続されている蓄積装置１５の台数を検出するＲＡＩＤ台数検出部（台数検出部）１２ａ、ＲＡＩＤ台数検出部１２ａにより検出されたＲＡＩＤ台数に基づきＲＡＩＤの構成を構築するＲＡＩＤ構築部（構築部）１２ｂ、および映像蓄積再生装置に脱着可能に接続される設定用端末装置により設定されるＲＡＩＤレベルを記憶するＲＡＩD設定情報記憶部１２ｃを備える。
【００２７】
図５は、映像蓄積再生装置が有する蓄積装置１５の機能ブロックを示した図である。映像蓄積再生装置が有する蓄積装置１５ａ、１５ｂ、１５ｃ、１５ｄは全て同様の機能を備える構成である。蓄積装置１５には、外部から入力される映像データを蓄積する映像データ蓄積部１５１、およびＲＡＩＤ構築部１２ｂにより構築されたＲＡＩＤ構成の情報を記憶しておくＲＡＩＤ構成情報記憶部（分散蓄積構成記憶部）１５２を備える。なお、このＲＡＩＤ構成情報は、実施例１と同様に、ＲＡＩＤコントローラ１４に接続されている蓄積装置１５の台数およびＲＡＩＤレベルを含むものであり、実施例１の構成におけるＲＡＩＤ構成情報記憶部１２ｄと同様の機能を備えるものである。
【００２８】
すなわち、実施例２の構成は、ＲＡＩＤ構築部１２ｄにより構築されたＲＡＩＤ構成の情報を記憶しておくＲＡＩD構成情報記憶部１５２を各蓄積装置１５に備えるようにしている。そして、ＲＡＩＤ構築部１２ｂがＲＡＩD構成を構築すると、構成されたＲＡＩＤ構成の情報は、ＲＡＩＤ構築部１２ｂが各蓄積装置１５に対し記憶するようになっている。
【００２９】
図６は、ＲＡＩＤ構成を構築する処理を示したフローチャートである。  
映像蓄積再生装置の電源が投入されると、ＲＡＩＤコントローラ１４に接続されている蓄積装置１５の台数を検出する（Ｓ２１）。その後、検出された蓄積装置１５のそれぞれが備えるＲＡＩD構成情報記憶部１５２に、それぞれＲＡＩD構成情報が記憶されているか否かを判断する（Ｓ２２）。それぞれのＲＡＩＤ構成情報記憶部１５２にＲＡＩD構成情報が記憶されていると判断した場合は、全てのＲＡＩＤ構成情報が同じであるか否か、および処理Ｓ２１で検出された蓄積装置の接続台数が、ＲＡＩD構成情報に含まれる接続台数が同じであるか否かを判断する（Ｓ２３）。全てのＲＡＩＤ構成情報が同じで接続台数も同じであると判断したした場合、ＲＡＩＤコントローラ１４はＲＡＩD構成情報記憶部１５２に記憶されているＲＡＩＤ構成情報に応じた制御を行えばよいため、ＲＡＩＤ構成を構築する処理を終了する。
【００３０】
処理Ｓ２２において、ＲＡＩＤ構成情報記憶部１５２にＲＡＩD構成情報が記憶されていないと判断した場合および、処理Ｓ２３において全てのＲＡＩD構成情報が同じでない、またはＲＡＩＤ構成情報が処理２１で検出された蓄積装置の接続台数がＲＡＩD構成情報に含まれる接続台数が異なると判断した場合は、ＲＡＩＤ構成を構築する必要があるため、ＲＡＩＤコントローラ１４に接続されている蓄積装置１５の台数が２台より多いか否かを判断する（Ｓ２４）。ＲＡＩＤレベルは、実施例１と同様に、ＲＡＩＤ５またはＲＡＩＤ０を構築する場合を示していることから、２台より多いか否かを判断するようになっている。
【００３１】
処理Ｓ２４において、ＲＡＩＤコントローラ１４に接続されている蓄積装置１５が１台または２台である場合は、ＲＡＩＤ０を構築する（Ｓ２５）。処理Ｓ２４において、ＲＡＩＤコントローラ１４に接続されている蓄積装置１５が３台以上である場合は、ＲＡＩＤ設定情報記憶部１２ｃを参照して、ＲＡＩＤ５を構築するように設定されているか否かを判断する（Ｓ２６）。設定されたＲＡＩＤレベルがＲＡＩＤ０の場合は、ＲＡＩＤ０を構築する（Ｓ２５）。また、設定されたＲＡＩＤレベルがＲＡＩＤ５の場合は、ＲＡＩＤ５を構築する（Ｓ２７）。処理Ｓ２５にてＲＡＩＤ０を構築した後、または処理Ｓ２７にてＲＡＩＤ５を構築した後は、構築したＲＡＩＤ構成情報をそれぞれの蓄積装置１５のＲＡＩＤ構成情報記憶部１５２に記憶して（Ｓ２８）、ＲＡＩＤ構成を構築する処理を終了する。
【００３２】
蓄積装置１５の増設を行った場合は、蓄積装置１５にＲＡＩＤ構成情報が記憶されていないか、その他の蓄積装置１５に記憶されているＲＡＩＤ構成情報と異なるＲＡＩＤ構成情報が記憶されているため、処理Ｓ２２または処理Ｓ２３における判断により、ＲＡＩＤ構成を構築する必要があると判断できる。また、蓄積装置１５の取り外しを行った場合は、ＲＡＩＤ構成情報記憶部１５２に記憶されているＲＡＩＤ構成情報と処理Ｓ２１にて検出した蓄積装置１５の接続台数が異なるため、処理Ｓ２３における判断により、ＲＡＩＤ構成を構築する必要があると判断することができる。
【００３３】
このように、それぞれの蓄積装置１５に共通の情報であるＲＡＩＤ構成情報を記憶しておくことにより、ＲＡＩＤ構成の構築を、自動的に行うことができる。
【００３４】
なお、本発明は、以上の構成に限定されるものではなく、種々の変形が可能である。例えば、実施例１および実施例２では、取り扱うデータを映像データとしたが、音声データであったり、音声データと映像データの両方を取り扱うようにしたりしてもよい。また、実施例２において、蓄積装置１５の機能ブロックを映像データ蓄積部１５１とＲＡＩD構成情報記憶部１５２とに分けて記載したが、これらは物理的に２つの記録媒体で構成されるものであっても、物理的に１つの記録媒体で構成し仮想的に記録領域を分割したものであってもよい。
【符号の説明】
【００３５】
１１…エンコーダ、１２…ＲＡＩＤ構成制御部、１２ａ…ＲＡＩＤ台数検出部、１２ｂ…ＲＡＩD構築部、１２ｃ…ＲＡＩD設定情報記憶部、１２ｄ…ＲＡＩＤ構成情報記憶部、１３…デコーダ、１４…ＲＡＩＤコントローラ、１５、１５ａ、１５ｂ、１５ｃ、１５ｄ…蓄積装置、１５１…映像データ蓄積部、１５２…ＲＡＩD構成情報記憶部。
【図１】
2011003032.tif 000003
【図２】
2011003032.tif 000004
【図３】
2011003032.tif 000005
【図４】
2011003032.tif 000006
【図５】
2011003032.tif 000007
【図６】
2011003032.tif 000008
【図７】
2011003032.tif 000009
【図８】
2011003032.tif 000010